(57)【要約】本発明の実施例はＤ２Ｄ通信の情報報告方法、ユーザ機器及び基地局を提供する。該情報報告方法は、基地局がユーザ機器のデータトラヒックがＤ２Ｄ通信のみトラヒックであることを知るように、該ユーザ機器が、Ｄ２Ｄ通信のみを行うことを示す指示情報を送信するステップを含む。本発明の実施例によれば、基地局はユーザ機器のＤ２Ｄ−ｏｎｌｙ情報を知ることができ、ユーザ機器を好適に構成でき、不要なハンドオーバ又はモード選択を回避できる。【選択図】図３
2016504884.tif 000002
【特許請求の範囲】
【請求項１】
Ｄ２Ｄ（Device
to Device）通信の情報報告方法であって、
基地局がユーザ機器のデータトラヒックがＤ２Ｄ通信のみトラヒックであることを知るように、前記ユーザ機器が、Ｄ２Ｄ通信のみを行うことを示す指示情報を送信するステップを含む、方法。
【請求項２】
前記ユーザ機器が、ＲＲＣ（Radio Resource Control）接続を確立するように前記基地局に要求する場合、ＲＲＣ接続要求メッセージに前記指示情報を追加するステップをさらに含み、
前記ユーザ機器は、前記ＲＲＣ接続要求メッセージを介して前記指示情報を送信する、請求項１に記載の方法。
【請求項３】
前記ユーザ機器が、前記基地局により送信されたＲＲＣ接続確立メッセージを受信した後で、ＲＲＣ接続確立完了のＡＣＫ（acknowledgement）メッセージにおいてＮＡＳ（Non-Access
Stratum）情報を介して前記指示情報を搬送するステップをさらに含み、
前記ユーザ機器は、前記基地局が前記ＡＣＫメッセージを受信した後で前記ＮＡＳ情報をＭＭＥ（Mobility Management Entity）にトランスペアレント伝送し、前記ＭＭＥが前記指示情報を前記基地局に送信するように、前記ＡＣＫメッセージを介して前記指示情報を送信する、請求項１に記載の方法。
【請求項４】
前記ユーザ機器が、ＲＲＣ接続再構成を完了した後で、ＲＲＣ接続再構成完了メッセージに前記指示情報を追加するステップをさらに含み、
前記ユーザ機器は、前記ＲＲＣ接続再構成完了メッセージを介して前記指示情報を送信する、請求項１に記載の方法。
【請求項５】
前記ユーザ機器が、ＲＲＣ接続再構成を完了した後で、アップリンク情報転送メッセージにおいてＮＡＳ情報を介して前記指示情報を搬送するステップをさらに含み、
前記ユーザ機器は、前記基地局が前記アップリンク情報転送メッセージを受信した後で前記ＮＡＳ情報をＭＭＥにトランスペアレント伝送し、前記ＭＭＥが前記指示情報を前記基地局に送信するように、前記アップリンク情報転送メッセージを介して前記指示情報を送信する、請求項１に記載の方法。
【請求項６】
Ｄ２Ｄ（Device
to Device）通信の情報報告方法であって、
基地局が、ユーザ機器がＤ２Ｄ通信のみを行うことを示す指示情報を受信するステップと、
前記基地局が、前記ユーザ機器のデータトラヒックがＤ２Ｄ通信のみトラヒックであるように、前記指示情報に基づいて前記ユーザ機器を構成するステップと、を含む、方法。
【請求項７】
前記指示情報は、ＲＲＣ（Radio Resource Control）接続要求メッセージにより搬送され、
前記ＲＲＣ接続要求メッセージは、ＲＲＣ接続を確立するように前記ユーザ機器が前記基地局に要求する際に送信される、請求項６に記載の方法。
【請求項８】
前記基地局が、前記ユーザ機器により送信されたＲＲＣ接続確立完了のＡＣＫ（acknowledgement）メッセージを受信するステップであって、前記ＲＲＣ接続確立完了のＡＣＫメッセージには、前記指示情報を搬送するＮＡＳ（Non-Access Stratum）情報が含まれる、ステップと、
前記ＮＡＳ情報をＭＭＥ（Mobility Management Entity）にトランスペアレント伝送するステップと、をさらに含み、
前記基地局は、前記ＭＭＥにより送信された、前記指示情報を含むメッセージを受信する、請求項６に記載の方法。
【請求項９】
前記指示情報は、ＲＲＣ接続再構成完了メッセージにより搬送され、
前記ＲＲＣ接続再構成完了メッセージは、前記ユーザ機器がＲＲＣ接続再構成を完了した後で、前記基地局に送信される、請求項６に記載の方法。
【請求項１０】
前記基地局が、前記ユーザ機器により送信されたアップリンク情報転送メッセージを受信するステップであって、前記アップリンク情報転送メッセージには、前記指示情報を搬送するＮＡＳ情報が含まれる、ステップと、
前記ＮＡＳ情報をＭＭＥにトランスペアレント伝送するステップと、をさらに含み、
前記基地局は、前記ＭＭＥにより送信された、前記指示情報を含むメッセージを受信する、請求項６に記載の方法。
【請求項１１】
Ｄ２Ｄ（Device
to Device）通信の情報報告方法であって、
ＭＭＥ（Mobility
Management Entity）が、基地局によりトランスペアレント伝送された、指示情報を搬送するＮＡＳ（Non-Access
Stratum）情報を受信するステップであって、前記指示情報は、ユーザ機器がＤ２Ｄ通信のみを行うことを示す、ステップと、
前記指示情報をフィードバックメッセージにカプセル化するステップと、
前記基地局が前記指示情報に基づいて前記ユーザ機器のデータトラヒックがＤ２Ｄ通信のみトラヒックであることを知るように、前記基地局に前記フィードバックメッセージを送信するステップと、を含む、方法。
【請求項１２】
ユーザ機器であって、
基地局が前記ユーザ機器のデータトラヒックがＤ２Ｄ（Device to Device）通信のみトラヒックであることを知るように、Ｄ２Ｄ通信のみを行うことを示す指示情報を送信する第１の送信手段を含む、ユーザ機器。
【請求項１３】
前記ユーザ機器がＲＲＣ（Radio Resource Control）接続を確立するように前記基地局に要求する場合、ＲＲＣ接続要求メッセージに前記指示情報を追加する第１の生成手段をさらに含み、
前記第１の送信手段は、前記ＲＲＣ接続要求メッセージを介して前記指示情報を送信する、請求項１２に記載のユーザ機器。
【請求項１４】
前記ユーザ機器が前記基地局により送信されたＲＲＣ接続確立メッセージを受信した後で、ＲＲＣ接続確立完了のＡＣＫ（acknowledgement）メッセージにおいてＮＡＳ（Non-Access
Stratum）情報を介して前記指示情報を搬送する第２の生成手段をさらに含み、
前記第１の送信手段は、前記基地局が前記ＡＣＫメッセージを受信した後で前記ＮＡＳ情報をＭＭＥ（Mobility Management Entity）にトランスペアレント伝送し、前記ＭＭＥが前記指示情報を前記基地局に送信するように、前記ＡＣＫメッセージを介して前記指示情報を送信する、請求項１２に記載のユーザ機器。
【請求項１５】
前記ユーザ機器がＲＲＣ接続再構成を完了した後で、ＲＲＣ接続再構成完了メッセージに前記指示情報を追加する第３の生成手段をさらに含み、
前記第１の送信手段は、前記ＲＲＣ接続再構成完了メッセージを介して前記指示情報を送信する、請求項１２に記載のユーザ機器。
【請求項１６】
前記ユーザ機器がＲＲＣ接続再構成を完了した後で、アップリンク情報転送メッセージにおいてＮＡＳ情報を介して前記指示情報を搬送する第４の生成手段をさらに含み、
前記第１の送信手段は、前記基地局が前記アップリンク情報転送メッセージを受信した後で前記ＮＡＳ情報をＭＭＥにトランスペアレント伝送し、前記ＭＭＥが前記指示情報を前記基地局に送信するように、前記アップリンク情報転送メッセージを介して前記指示情報を送信する、請求項１２に記載のユーザ機器。
【請求項１７】
ユーザ機器がＤ２Ｄ通信のみを行うことを示す指示情報を受信する第１の受信手段と、
前記ユーザ機器のデータトラヒックがＤ２Ｄ通信のみトラヒックであるように、前記ユーザ機器を構成する構成手段と、を含む、基地局。
【請求項１８】
前記指示情報は、ＲＲＣ（Radio Resource Control）接続要求メッセージにより搬送され、
前記ＲＲＣ接続要求メッセージは、ＲＲＣ接続を確立するように前記ユーザ機器が前記基地局に要求する際に送信される、請求項１７に記載の基地局。
【請求項１９】
前記ユーザ機器により送信されたＲＲＣ接続確立完了のＡＣＫ（acknowledgement）メッセージを受信する第２の受信手段であって、前記ＲＲＣ接続確立完了のＡＣＫメッセージには、前記指示情報を搬送するＮＡＳ（Non-Access Stratum）情報が含まれる、第２の受信手段と、
前記ＮＡＳ情報をＭＭＥ（Mobility Management Entity）にトランスペアレント伝送する第２の送信手段と、をさらに含み、
前記第１の受信手段は、前記ＭＭＥにより送信された、前記指示情報を含むメッセージを受信する、請求項１７に記載の基地局。
【請求項２０】
前記指示情報は、ＲＲＣ接続再構成完了メッセージにより搬送され、
前記ＲＲＣ接続再構成完了メッセージは、前記ユーザ機器がＲＲＣ接続再構成を完了した後で、前記基地局に送信される、請求項１７に記載の基地局。
【請求項２１】
前記ユーザ機器により送信されたアップリンク情報転送メッセージを受信する第３の受信手段であって、前記アップリンク情報転送メッセージには、前記指示情報を搬送するＮＡＳ情報が含まれる、第３の受信手段と、
前記ＮＡＳ情報をＭＭＥにトランスペアレント伝送する第３の送信手段と、をさらに含み、
前記第１の受信手段は、前記ＭＭＥにより送信された、前記指示情報を含むメッセージを受信する、請求項１７に記載の基地局。
【請求項２２】
基地局によりトランスペアレント伝送された、指示情報を搬送するＮＡＳ（Non-Access Stratum）情報を受信する第４の受信手段であって、前記指示情報は、ユーザ機器がＤ２Ｄ（Device to Device）通信のみを行うことを示す、第４の受信手段と、
前記指示情報をフィードバックメッセージにカプセル化するカプセル化手段と、
前記基地局が前記指示情報に基づいて前記ユーザ機器のデータトラヒックがＤ２Ｄ通信のみトラヒックであることを知るように、前記基地局に前記フィードバックメッセージを送信する第４の送信手段と、を含む、モビリィティ管理エンティティ（ＭＭＥ、Mobility Management Entity）。
【請求項２３】
請求項１２乃至１６のいずれかに記載のユーザ機器及び請求項１７乃至２１のいずれかに記載の基地局を含み、或いは請求項１２乃至１６のいずれかに記載のユーザ機器、請求項１７乃至２１のいずれかに記載の基地局及び請求項２２に記載のモビリィティ管理エンティティを含む、通信システム。
【請求項２４】
ユーザ機器においてプログラムを実行する際に、コンピュータに、請求項１乃至５のいずれかに記載のＤ２Ｄ通信の情報報告方法を前記ユーザ機器において実行させる、コンピュータ読み取り可能なプログラム。
【請求項２５】
コンピュータに、請求項１乃至５のいずれかに記載のＤ２Ｄ通信の情報報告方法をユーザ機器において実行させるためのコンピュータ読み取り可能なプログラムを記憶する、記憶媒体。
【請求項２６】
基地局においてプログラムを実行する際に、コンピュータに、請求項６乃至１１のいずれかに記載のＤ２Ｄ通信の情報報告方法を前記基地局において実行させる、コンピュータ読み取り可能なプログラム。
【請求項２７】
コンピュータに、請求項６乃至１１のいずれかに記載のＤ２Ｄ通信の情報報告方法を基地局において実行させるためのコンピュータ読み取り可能なプログラムを記憶する、記憶媒体。
【発明の詳細な説明】
【技術分野】
【０００１】
本発明は、通信分野に関し、特にＤ２Ｄ通信の情報報告方法、ユーザ機器及び基地局に関する。
【背景技術】
【０００２】
端末から端末（D2D、Device to Device）の通信は、ユーザ機器（UE、User Equipment）間の直接通信を指し、無線システムのスペクトル効率を効率的に向上でき、制御シグナリングのオーバーヘッドを低減できる。
【０００３】
ユーザ機器ＵＥ１及びユーザ機器ＵＥ２は、発見（Discovery）メカニズムにより、自分とＤ２Ｄ通信を行うことが可能な潜在的なＵＥを報告する。ネットワーク側は、報告結果に基づいて、ＵＥ１とＵＥ２との間のチャネル条件がＤ２Ｄ通信を採用することが適切であることを知っている場合、基地局は、コア・ネットワークを介することなく、ＵＥ１とＵＥ２とがデータ伝送を直接に行うように構成してもよい。Ｄ２Ｄ通信をサポートする制御シグナリングは依然としてｅＮＢにより送信される。
【０００４】
Ｄ２Ｄのトラヒックは、コア・ネットワークを介することなく送信されるため、セルラ・リンクと共に料金を課しにくく、Ｄ２Ｄトラヒックの料金が低くなる可能性がある。また、Ｄ２Ｄリンクを用いて送信可能なＵＥ間の距離が近いため、リンクはより安定であり、スループットの大きいトラヒックを伝送できる。従って、ＵＥによるＤ２Ｄのトラヒックでは、モード選択によりセルラ・リンクを使用することなく、Ｄ２Ｄリンクのみを使用する場合があり、このトラヒックはＤ２Ｄ通信のみ（Ｄ２Ｄ−ｏｎｌｙ）トラヒックと称されてもよい。
【０００５】
Ｄ２Ｄ−ｏｎｌｙトラヒックを有するＵＥは、Ｄ２Ｄ−ｏｎｌｙトラヒックのみを有する場合、Ｄ２Ｄリンクがデータ伝送に適していないにもかかわらず、セルラ・リンクを用いて伝送を続けることが許可されない。このため、ネットワーク側は、該ＵＥに対して関連するモード選択及びハンドオーバのパラメータを構成する必要がなく、モード選択及びハンドオーバのプログラムを起動する必要もない。
【０００６】
該ＵＥがＤ２Ｄ−ｏｎｌｙトラヒック及び非Ｄ２Ｄ−ｏｎｌｙトラヒック両方を有する場合、該ＵＥはこれらのトラヒックを区別する必要があり、Ｄ２Ｄ−ｏｎｌｙトラヒックにより用いられるリンクがデータ伝送に適していないとき、モード選択のプログラムを起動する必要がない。
【０００７】
しかし、本発明の発明者の発見によれば、従来方法では、ユーザ機器のみはデータトラヒックがＤ２Ｄ−ｏｎｌｙトラヒックであるか否かを知っているが、ネットワーク側はユーザ機器のデータトラヒックがＤ２Ｄ−ｏｎｌｙトラヒックであるか否かを知っていない。よって、ネットワーク側は、データトラヒックのタイプに基づいてユーザ機器を好適に構成できないため、不要なハンドオーバ又はモード選択をもたらしてしまう。
【０００８】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００９】
本発明の実施例は、基地局がユーザ機器のＤ２Ｄ−ｏｎｌｙ情報を知るように、ユーザ機器がＤ２Ｄ−ｏｎｌｙを示す指示情報を報告するＤ２Ｄ通信の情報報告方法、ユーザ機器及び基地局を提供することを目的とする。
【課題を解決するための手段】
【００１０】
本発明の実施例の一の態様では、Ｄ２Ｄ（Device to Device）通信の情報報告方法であって、基地局がユーザ機器のデータトラヒックがＤ２Ｄ通信のみトラヒックであることを知るように、前記ユーザ機器が、Ｄ２Ｄ通信のみを行うことを示す指示情報を送信するステップを含む、方法を提供する。
【００１１】
本発明の実施例の他の態様では、Ｄ２Ｄ（Device to Device）通信の情報報告方法であって、基地局が、ユーザ機器がＤ２Ｄ通信のみを行うことを示す指示情報を受信するステップと、前記基地局が、前記ユーザ機器のデータトラヒックがＤ２Ｄ通信のみトラヒックであるように、前記指示情報に基づいて前記ユーザ機器を構成するステップと、を含む、方法を提供する。
【００１２】
本発明の実施例の他の態様では、Ｄ２Ｄ（Device to Device）通信の情報報告方法であって、ＭＭＥ（Mobility Management
Entity）が、基地局によりトランスペアレント伝送された、指示情報を搬送するＮＡＳ（Non-Access
Stratum）情報を受信するステップであって、前記指示情報は、前記ユーザ機器がＤ２Ｄ通信のみを行うことを示す、ステップと、前記指示情報をフィードバックメッセージにカプセル化するステップと、前記基地局が前記指示情報に基づいて前記ユーザ機器のデータトラヒックがＤ２Ｄ通信のみトラヒックであることを知るように、前記基地局に前記フィードバックメッセージを送信するステップと、を含む、方法を提供する。
【００１３】
本発明の実施例の他の態様では、ユーザ機器であって、基地局が前記ユーザ機器のデータトラヒックがＤ２Ｄ（Device to Device）通信のみトラヒックであることを知るように、Ｄ２Ｄ通信のみを行うことを示す指示情報を送信する第１の送信部を含む、ユーザ機器を提供する。
【００１４】
本発明の実施例の他の態様では、ユーザ機器がＤ２Ｄ通信のみを行うことを示す指示情報を受信する第１の受信手段と、前記ユーザ機器のデータトラヒックがＤ２Ｄ通信のみトラヒックであるように、前記ユーザ機器を構成する構成手段と、を含む、基地局を提供する。
【００１５】
本発明の実施例の他の態様では、基地局によりトランスペアレント伝送された、指示情報を搬送するＮＡＳ（Non-Access Stratum）情報を受信する第４の受信手段であって、前記指示情報は、前記ユーザ機器がＤ２Ｄ（Device to Device）通信のみを行うことを示す、第４の受信手段と、前記指示情報をフィードバックメッセージにカプセル化するカプセル化手段と、前記基地局が前記指示情報に基づいて前記ユーザ機器のデータトラヒックがＤ２Ｄ通信のみトラヒックであることを知るように、前記基地局に前記フィードバックメッセージを送信する第４の送信手段と、を含む、モビリィティ管理エンティティ（ＭＭＥ、Mobility Management Entity）を提供する。
【００１６】
本発明の実施例の他の態様では、上記のユーザ機器及び基地局を含み、或いは上記のユーザ機器、基地局及びモビリィティ管理エンティティを含む、通信システムを提供する。
【００１７】
本発明の実施例の他の態様では、ユーザ機器においてプログラムを実行する際に、コンピュータに、上記のＤ２Ｄ通信の情報報告方法を前記ユーザ機器において実行させる、コンピュータ読み取り可能なプログラムを提供する。
【００１８】
本発明の実施例の他の態様では、コンピュータに、上記のＤ２Ｄ通信の情報報告方法をユーザ機器において実行させるためのコンピュータ読み取り可能なプログラムを記憶する、記憶媒体を提供する。
【００１９】
本発明の実施例の他の態様では、基地局においてプログラムを実行する際に、コンピュータに、上記のＤ２Ｄ通信の情報報告方法を前記基地局において実行させる、コンピュータ読み取り可能なプログラムを提供する。
【００２０】
本発明の実施例の他の態様では、コンピュータに、上記のＤ２Ｄ通信の情報報告方法を基地局において実行させるためのコンピュータ読み取り可能なプログラムを記憶する、記憶媒体を提供する。
【００２１】
本発明の実施例の有益な効果としては、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【００２２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２４】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２５】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２６】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】直接通信モードを用いるＤ２Ｄ通信を示す図である。
【図２】ローカルルーティングモードを用いるＤ２Ｄ通信を示す図である。
【図３】本発明の実施例１に係る情報報告方法のフローチャートである。
【図４】本発明の実施例２に係る情報報告方法のフローチャートである。
【図５】本発明の実施例３に係る情報報告方法のフローチャートである。
【図６】本発明の実施例３に係る情報報告方法の他のフローチャートである。
【図７】本発明の実施例４に係る情報報告方法のフローチャートである。
【図８】本発明の実施例４に係る情報報告方法の他のフローチャートである。
【図９】本発明の実施例５に係る情報報告方法のフローチャートである。
【図１０】本発明の実施例５に係る情報報告方法の他のフローチャートである。
【図１１】本発明の実施例５に係る情報報告方法の他のフローチャートである。
【図１２】本発明の実施例６に係る情報報告方法のフローチャートである。
【図１３】本発明の実施例６に係る情報報告方法の他のフローチャートである。
【図１４】本発明の実施例６に係る情報報告方法の他のフローチャートである。
【図１５】本発明の実施例７に係る情報報告方法のフローチャートである。
【図１６】本発明の実施例８に係るユーザ機器の構成を示す図である。
【図１７】本発明の実施例８に係るユーザ機器の他の構成を示す図である。
【図１８】本発明の実施例８に係るユーザ機器の他の構成を示す図である。
【図１９】本発明の実施例８に係るユーザ機器の他の構成を示す図である。
【図２０】本発明の実施例８に係るユーザ機器の他の構成を示す図である。
【図２１】本発明の実施例９に係る基地局の構成を示す図である。
【図２２】本発明の実施例９に係る基地局の他の構成を示す図である。
【図２３】本発明の実施例９に係る基地局の他の構成を示す図である。
【図２４】本発明の実施例１０に係るモビリィティ管理エンティティ（ＭＭＥ、Mobility Management Entity）の構成を示す図である。
【発明を実施するための形態】
【００２７】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２８】
ユーザ機器間のＤ２Ｄ通信モードは２つのモード、即ち直接通信（Direct Mode）、ローカルルーティング（Locally Routed）がある。なお、本明細書に記載されるセルラ・リンク（Cellular Link）はユーザ・プレーン・データは、コア・ネットワークを介して送信される通信モードを指す。
【００２９】
図１は、直接通信モードを用いるＤ２Ｄ通信を示す図である。図１に示すように、ＵＥ１とＵＥ２との間は、基地局及びコア・ネットワークを介することなく、直接にデータ伝送を行うことができる。図２は、ローカルルーティングモードを用いるＤ２Ｄ通信を示す図である。図２に示すように、ＵＥ１とＵＥ２との間は、コア・ネットワークを介することなく、基地局のルーティングによりデータを伝送することができる。
【００３０】
本発明の実施例では、図１及び図２に示されるシナリオを例として説明する。説明の便宜上、本発明の実施例は、直接通信及びローカルルーティングとは区別されない。実際の状況に応じて具体的なシナリオ又は通信モードを決定してもよい。
【００３１】
＜実施例１＞
本発明の実施例はＤ２Ｄ通信の情報報告方法を提供し、ユーザ機器側で該情報報告方法を説明する。
【００３２】
図３は、本発明の実施例に係る情報報告方法のフローチャートであり、図３に示すように、該方法は下記のステップを含む。
【００３３】
ステップ３０１：ユーザ機器は、基地局が該ユーザ機器のデータトラヒックがＤ２Ｄ−ｏｎｌｙトラヒックであることを知るように、Ｄ２Ｄ通信のみを行うことを示す指示情報を送信する。
【００３４】
本実施例では、該指示情報は、１ビットであってもよく、例えば「０」は、該ユーザ機器が非Ｄ２Ｄ−ｏｎｌｙトラヒックを行うことを示し、「１」は、該ユーザ機器がＤ２Ｄ−ｏｎｌｙトラヒックを行うことを示す。該指示情報は、該ユーザ機器のデータトラヒックの識別情報、及び対応データトラヒックがＤ２Ｄ−ｏｎｌｙトラヒックであるか否かを示す情報をさらに含んでもよい。例えば、データトラヒック１がＤ２Ｄ−ｏｎｌｙトラヒックであることを示し、データトラヒック２が非Ｄ２Ｄ−ｏｎｌｙトラヒックであることを示す。
【００３５】
なお、以上はＤ２Ｄ−ｏｎｌｙを示すための指示情報を例示的に説明しているが、本発明はこれに限定されず、実際の状況に応じて具体的な実施形態を決定してもよい。
【００３６】
本実施例では、ユーザ機器が該指示情報を送信して、基地局に、該ユーザ機器が伝送しているデータトラヒックがＤ２Ｄ−ｏｎｌｙトラヒックであるか否かを知らせることができる。これによって、基地局は該ユーザ機器を好適に構成できる。例えば、該ユーザ機器にＤ２Ｄ−ｏｎｌｙトラヒックが存在する場合、基地局は、該Ｄ２Ｄリンクからセルラ・リンクにモード選択を行う必要がないため、不要な性能オーバヘッドを低減できる。
【００３７】
本実施例では、基地局は、ユーザ機器により送信されたメッセージから該指示情報を直接に取得してもよいし、他の機器、例えばモビリィティ管理エンティティ（ＭＭＥ、Mobility Management Entity）からメッセージを受信し、該指示情報を間接に取得してもよい。
【００３８】
また、基地局は、該ユーザ機器に無線リソース制御（RRC、Radio Resource Control）接続がない場合、トラヒックを確立するプロセスにおいて該指示情報を取得してもよいし、該ユーザ機器がＲＲＣ接続を確立した場合、伝送トラヒックを開始するプロセスにおいて該指示情報を取得してもよい。
【００３９】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【００４０】
＜実施例２＞
実施例１をベースとして、本発明の実施例に係るＤ２Ｄ通信の情報報告方法をさらに詳細に説明する。本実施例では、ユーザ機器は、ＲＲＣ接続を確立する際に該指示情報を報告してもよい。
【００４１】
図４本発明の実施例に係る情報報告方法のフローチャートであり、図４に示すように、該方法は下記のステップを含む。
【００４２】
ステップ４０１：ユーザ機器は、ＲＲＣ（Radio Resource Control）接続を確立するように基地局に要求する場合、ＲＲＣ接続要求メッセージに、Ｄ２Ｄ通信のみを行うことを示す指示情報を追加する。
【００４３】
ステップ４０２：ユーザ機器は、ＲＲＣ接続要求メッセージを介して該指示情報を基地局に送信する。
【００４４】
例えば、ＵＥ１は、信号を検出して、ＵＥ２がＵＥ１とＤ２Ｄ通信を行うことができることを発見した場合、該情報をネットワーク側に報告してもよい。ＵＥ１は、ＵＥ２にＤ２Ｄ−ｏｎｌｙトラヒックを伝送する必要がある場合、ＲＲＣ接続を確立するように基地局に要求してもよい。
【００４５】
具体的には、ＵＥ１は、ＲＲＣＣｏｎｎｅｃｔｉｏｎＲｅｑｕｅｓｔメッセージに１つの新しい情報要素（IE、Information Element）、例えばＤ２Ｄ−ｏｎｌｙ  ｉｎｄｉｃａｔｏｒを追加し、伝送されるデータトラヒックがＤ２Ｄ−ｏｎｌｙトラヒックであることを基地局に知らせてもよい。
【００４６】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【００４７】
＜実施例３＞
実施例１をベースとして、本発明の実施例に係るＤ２Ｄ通信の情報報告方法をさらに詳細に説明する。本実施例では、ユーザ機器は、ＲＲＣ接続の確立が成功した後で該指示情報を報告してもよい。
【００４８】
図５は、本発明の実施例に係る情報報告方法のフローチャートであり、図５に示すように、該方法は下記のステップを含む。
【００４９】
ステップ５０１：ユーザ機器は、基地局により送信されたＲＲＣ接続確立メッセージを受信した後で、ＲＲＣ接続確立完了のＡＣＫ（acknowledgement）メッセージにＮＡＳ（Non-Access Stratum）情報を追加し、Ｄ２Ｄ通信のみを行うことを示す指示情報を搬送する（carry）。
【００５０】
ステップ５０２：ユーザ機器は、基地局がＡＣＫメッセージを受信した後で該ＮＡＳ情報をＭＭＥ（Mobility Management Entity）にトランスペアレント伝送し、ＭＭＥが該指示情報を該基地局に送信するように、該ＡＣＫメッセージを介して該指示情報を送信する。
【００５１】
具体的には、ＵＥ１は、基地局からのＲＲＣＣｏｎｎｅｃｔｉｏｎＳｅｔｕｐを受信し、関連パラメータを構成してもよく、ＲＲＣＣｏｎｎｅｃｔｉｏｎＳｅｔｕｐＣｏｍｐｌｅｔｅメッセージに１つの新しいＩＥを追加し、或いは元のＩＥを強化してもよい。例えば、ＤｅｄｉｃａｔｅｄＩｎｆｏＮＡＳ  ＩＥを強化し、ＵＥ１はＤｅｄｉｃａｔｅｄＩｎｆｏＮＡＳ  ＩＥに追加された非アクセス層（NAS、Non-Access Stratum）情報を介して、伝送されるデータがＤ２Ｄ−ｏｎｌｙトラヒックであることをネットワーク側に知らせてもよい。
【００５２】
ユーザ機器は、基地局にＲＲＣＣｏｎｎｅｃｔｉｏｎＳｅｔｕｐＣｏｍｐｌｅｔｅメッセージを送信し、基地局にＲＲＣ接続確立が成功したことを確認してもよい。基地局は、ＲＲＣＣｏｎｎｅｃｔｉｏｎＳｅｔｕｐＣｏｍｐｌｅｔｅメッセージを受信した後で、ＮＡＳ情報（例えばＤｅｄｉｃａｔｅｄＩｎｆｏＮＡＳ  ＩＥ）をＭＭＥにトランスペアレント伝送（transparently transmit）し、ＭＭＥは該ＮＡＳ情報を解析した後で、該指示情報を基地局に送信する。
【００５３】
具体的には、基地局によりトランスペアレント伝送されたＮＡＳ情報に基づいて、ＭＭＥは、ＵＥ１により伝送されるデータがＤ２Ｄ−ｏｎｌｙトラヒックであることを知っている場合、１つの新しいＩＥ（例えばＤ２Ｄ−ｏｎｌｙ  ｉｎｄｉｃａｔｏｒ  ＩＥ）を生成してＳ１ＡＰメッセージ（例えばＩＮＩＴＩＡＬ  ＣＯＮＴＥＸＴ  ＳＥＴＵＰ  ＲＥＱＵＥＳＴ）にカプセル化して基地局に伝送してもよい。
【００５４】
図６は、本発明の実施例に係る情報報告方法の他のフローチャートであり、ＵＥがＲＲＣ接続を確立する時から説明する。図６に示すように、該方法は下記のステップを含む。
【００５５】
ステップ６０１：ユーザ機器は基地局にＲＲＣ接続確立要求を送信する。
【００５６】
この態様では、ＵＥ１が信号を検出することで、ＵＥ２がＵＥ１とＤ２Ｄ通信を行うことができることを発見した後で、該情報をネットワーク側に報告してもよい。ＵＥ１がＵＥ２にＤ２Ｄ−ｏｎｌｙトラヒックを伝送する必要がある場合、基地局にＲＲＣＣｏｎｎｅｃｔｉｏｎＲｅｑｕｅｓｔメッセージを送信し、ＲＲＣ接続確立を要求してもよい。
【００５７】
ステップ６０２：基地局はＲＲＣ接続を確立するように応答する。
【００５８】
この態様では、基地局は、ＵＥ１から送信されたＲＲＣＣｏｎｎｅｃｔｉｏｎＲｅｑｕｅｓｔを受信した後で、負荷及びチャネル状態に基づいて、ＵＥ１のＲＲＣ接続確立要求に同意するか否かを判断してもよい。同意した場合、基地局はＵＥ１にＲＲＣＣｏｎｎｅｃｔｉｏｎＳｅｔｕｐを送信し、ＲＲＣ接続確立に同意し、ＵＥ１に対してＲＲＣ接続の構成を行う。
【００５９】
ステップ６０３：ユーザ機器は、基地局により送信されたＲＲＣ接続確立メッセージを受信した後で、ＲＲＣ接続確立完了のＡＣＫメッセージにＮＡＳ情報を介して該指示情報を搬送する。
【００６０】
この態様では、ＵＥ１は、基地局からのＲＲＣＣｏｎｎｅｃｔｉｏｎＳｅｔｕｐを受信すると、関連パラメータを構成してもよく、ＲＲＣＣｏｎｎｅｃｔｉｏｎＳｅｔｕｐＣｏｍｐｌｅｔｅメッセージに１つの新しいＩＥを追加し、或いは元のＩＥを強化し、例えばＤｅｄｉｃａｔｅｄＩｎｆｏＮＡＳ  ＩＥを強化してもよい。ＵＥ１はＤｅｄｉｃａｔｅｄＩｎｆｏＮＡＳ  ＩＥに追加された非アクセス層（NAS、Non-Access Stratum）情報を介して、伝送されるデータがＤ２Ｄ−ｏｎｌｙトラヒックであることをネットワーク側に知らせる。
【００６１】
ステップ６０４：ユーザ機器は、該ＡＣＫメッセージを介して該指示情報を送信する。
【００６２】
この態様では、ＵＥ１は、関連パラメータの構成が成功した後で、基地局に強化されたＲＲＣＣｏｎｎｅｃｔｉｏｎＳｅｔｕｐＣｏｍｐｌｅｔｅメッセージを送信し、基地局にＲＲＣ接続確立成功を確認する。
【００６３】
ステップ６０５：基地局は、ＡＣＫメッセージを受信した後で、該ＮＡＳ情報をＭＭＥにトランスペアレント伝送する。
【００６４】
ステップ６０６：ＭＭＥは、基地局によりトランスペアレント伝送された、該指示情報を含むＮＡＳ情報を受信した後で、指示情報をフィードバックメッセージにカプセル化する。
【００６５】
この態様では、ＭＭＥは、基地局から送信された情報を受信した後で、ＵＥに対して安全性検出を行い、対応するＤＲＢを確立してもよい。
【００６６】
この態様では、基地局によりトランスペアレント伝送されたＮＡＳ情報に基づいて、ＭＭＥは、ＵＥ１により伝送されるデータがＤ２Ｄ−ｏｎｌｙトラヒックであることを知っている場合、１つの新しいＩＥ（例えばＤ２Ｄ−ｏｎｌｙ  Ｉｎｄｉｃａｔｏｒ  ＩＥ）を生成してＳ１ＡＰメッセージ（例えばＩＮＩＴＩＡＬ  ＣＯＮＴＥＸＴ  ＳＥＴＵＰ  ＲＥＱＵＥＳＴ）にカプセル化してもよい。
【００６７】
ステップ６０７：ＭＭＥは、基地局が指示情報に基づいてユーザ機器のデータトラヒックがＤ２Ｄ−ｏｎｌｙトラヒックであることを知るように、該指示情報を含むフィードバックメッセージを基地局に送信する。
【００６８】
上記実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【００６９】
＜実施例４＞
実施例１をベースとして、本発明の実施例に係るＤ２Ｄ通信の情報報告方法をさらに詳細に説明する。本実施例では、ユーザ機器は、ＲＲＣ接続再構成を行う際に該指示情報を報告してもよい。
【００７０】
図７は本発明の実施例に係る情報報告方法のフローチャートであり、図７に示すように、該方法は下記のステップを含む。
【００７１】
ステップ７０１：ユーザ機器は、ＲＲＣ接続再構成を完了した後で、ＲＲＣ接続再構成完了メッセージに、Ｄ２Ｄ通信のみを行うことを示す指示情報を追加する。
【００７２】
ステップ７０２：ユーザ機器は、該ＲＲＣ接続再構成完了メッセージを介して該指示情報を基地局に送信する。
【００７３】
具体的には、ＵＥ１は、ＲＲＣＣｏｎｎｅｃｔｉｏｎＲｅｃｏｎｆｉｇｕｒａｔｉｏｎパラメータに基づいてＲＲＣ接続再構成を完了した後で、ＲＲＣＣｏｎｎｅｃｔｉｏｎＲｅｃｏｎｆｉｇｕｒａｔｉｏｎＣｏｍｐｌｅｔｅメッセージに１つの新しいＩＥを追加し、伝送されるデータがＤ２Ｄ−ｏｎｌｙトラヒックであることをネットワーク側に知らせてもよい。そして、基地局に強化されたＲＲＣＣｏｎｎｅｃｔｉｏｎＲｅｃｏｎｆｉｇｕｒａｔｉｏｎＣｏｍｐｌｅｔｅメッセージを送信してもよい。
【００７４】
図８は本発明の実施例に係る情報報告方法の他のフローチャートであり、ＵＥがＲＲＣ接続を確立する時から説明する。図８に示すように、該方法は下記のステップを含む。
【００７５】
ステップ８０１：ユーザ機器は、基地局にＲＲＣ接続確立要求を送信する。
【００７６】
ステップ８０２：基地局は、ＲＲＣ接続を確立するように応答する。
【００７７】
ステップ８０３：ユーザ機器は、基地局に、ＲＲＣ接続確立完了のＡＣＫメッセージを送信する。
【００７８】
ステップ８０４：基地局は、ＡＣＫメッセージを受信した後で、ＮＡＳ情報をＭＭＥトランスペアレント伝送する。
【００７９】
ステップ８０５：ＭＭＥは、基地局によりトランスペアレント伝送されたＮＡＳ情報を受信し、基地局にフィードバックメッセージを送信する。
【００８０】
ステップ８０６：基地局は、ユーザ機器に対してＲＲＣ接続再構成を行う。
【００８１】
この態様では、基地局は、ＭＭＥからのＩＮＩＴＩＡＬ  ＣＯＮＴＥＸＴ  ＳＥＴＵＰ  ＲＥＱＵＥＳＴを受信した後で、ＵＥ１に対してＲＲＣ接続再構成を行い、即ちＲＲＣＣｏｎｎｅｃｔｉｏｎＲｅｃｏｎｆｉｇｕｒａｔｉｏｎメッセージを送信してもよい。
【００８２】
ステップ８０７：ユーザ機器は、ＲＲＣ接続再構成を完了した場合、ＲＲＣ接続再構成完了メッセージに、Ｄ２Ｄ通信のみを行うことを示す指示情報を追加する。
【００８３】
この態様では、ＵＥ１は、ＲＲＣＣｏｎｎｅｃｔｉｏｎＲｅｃｏｎｆｉｇｕｒａｔｉｏｎパラメータに基づいてＲＲＣ接続再構成を完了した後で、ＲＲＣＣｏｎｎｅｃｔｉｏｎＲｅｃｏｎｆｉｇｕｒａｔｉｏｎＣｏｍｐｌｅｔｅメッセージに１つの新しいＩＥを追加し、伝送されるデータがＤ２Ｄ−ｏｎｌｙトラヒックであることをネットワーク側に知らせてもよい。
【００８４】
ステップ８０８：ユーザ機器は、該ＲＲＣ接続再構成完了メッセージを介して該指示情報を基地局に送信する。
【００８５】
この態様では、ＵＥ１は基地局に再構成完了メッセージを送信し、即ち、強化されたＲＲＣＣｏｎｎｅｃｔｉｏｎＲｅｃｏｎｆｉｇｕｒａｔｉｏｎＣｏｍｐｌｅｔｅメッセージを送信し、該ユーザ機器のデータトラヒックがＤ２Ｄ−ｏｎｌｙトラヒックであることを基地局に知らせてもよい。
【００８６】
上記実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【００８７】
＜実施例５＞
実施例１をベースとして、本発明の実施例に係るＤ２Ｄ通信の情報報告方法をさらに詳細に説明する。本実施例では、ユーザ機器は、ＲＲＣ接続再構成を行った後で該指示情報を報告してもよい。
【００８８】
図９は本発明の実施例に係る情報報告方法のフローチャートであり、図９に示すように、該方法は下記のステップを含む。
【００８９】
ステップ９０１：ユーザ機器は、ＲＲＣ接続再構成を完了した後で、アップリンク情報転送メッセージにＮＡＳ情報を追加し、Ｄ２Ｄ通信のみを行うことを示す指示情報を搬送する。
【００９０】
ステップ９０２：ユーザ機器は、基地局がアップリンク情報転送メッセージを受信した後でＮＡＳ情報をＭＭＥにトランスペアレント伝送し、ＭＭＥが指示情報を基地局に送信するように、アップリンク情報転送メッセージを介して該指示情報を送信する。
【００９１】
具体的には、ＵＥ１はＲＲＣ接続再構成を完了した後で、ＵＬ  Ｉｎｆｏｒｍａｔｉｏｎ  Ｔｒａｎｓｆｅｒメッセージに１つの新しいＩＥを追加し、或いは元のＩＥを強化してもよく（例えば、ＤｅｄｉｃａｔｅｄＩｎｆｏＮＡＳ  ＩＥを追加してもよい）、伝送されるデータがＤ２Ｄ−ｏｎｌｙトラヒックであることをネットワーク側に知らせてもよい。
【００９２】
ＵＥ１は、基地局に、強化されたＵＬ  Ｉｎｆｏｒｍａｔｉｏｎ  Ｔｒａｎｓｆｅｒメッセージを送信してもよい。基地局は、ＵＬ  Ｉｎｆｏｒｍａｔｉｏｎ  Ｔｒａｎｓｆｅｒメッセージを受信した後で、ＮＡＳ情報をＭＭＥにトランスペアレント伝送してもよく、ＭＭＥは該ＮＡＳ情報を解析した後で、該指示情報を基地局に送信する。
【００９３】
具体的には、基地局によりトランスペアレント伝送されたＮＡＳ情報に基づいて、ＭＭＥは、ＵＥ１により伝送されるデータがＤ２Ｄ−ｏｎｌｙトラヒックであることを知っている場合、１つの新しいＩＥ（例えばＤ２Ｄ−ｏｎｌｙ  ｉｎｄｉｃａｔｏｒ  ＩＥ）を生成してＳ１ＡＰメッセージ（例えばＥ−ＲＡＢ  ＳＥＴＵＰ  ＲＥＱＵＥＳＴ）にカプセル化し、該強化されたメッセージを基地局に伝送してもよい。
【００９４】
１つの態様では、ＵＥはＲＲＣ接続をまだ確立していない。図１０は本発明の実施例に係る情報報告方法の他のフローチャートであり、ＵＥがＲＲＣ接続を確立する時から説明する。図１０に示すように、該方法は下記のステップを含む。
【００９５】
ステップ１００１：ユーザ機器は基地局にＲＲＣ接続確立要求を送信する。
【００９６】
ステップ１００２：基地局はＲＲＣ接続を確立するように応答する。
【００９７】
ステップ１００３：ユーザ機器は、基地局に、ＲＲＣ接続確立完了のＡＣＫメッセージを送信する。
【００９８】
ステップ１００４：基地局は、ＡＣＫメッセージを受信した後で、ＮＡＳ情報をＭＭＥにトランスペアレント伝送する。
【００９９】
ステップ１００５：ＭＭＥは、基地局によりトランスペアレント伝送されたＮＡＳ情報を受信し、基地局にフィードバックメッセージを送信する。
【０１００】
ステップ１００６：基地局は、ユーザ機器に対してＲＲＣ接続再構成を行う。
【０１０１】
ステップ１００７：ユーザ機器は、ＲＲＣ接続再構成を完了した場合、基地局にＲＲＣ接続再構成完了メッセージを送信する。
【０１０２】
ステップ１００８：基地局は、ＭＭＥに情報をフィードバックする。
【０１０３】
この態様では、基地局は、ＵＥ１からの接続再構成完了メッセージ（ＲＲＣＣｏｎｎｅｃｔｉｏｎＲｅｃｏｎｆｉｇｕｒａｔｉｏｎＣｏｍｐｌｅｔｅ）を受信した後で、ＭＭＥにＩＮＩＴＩＡＬ  ＣＯＮＴＥＸＴ  ＳＥＴＵＰ  ＲＥＳＰＯＮＳＥメッセージをフィードバックしてもよい。
【０１０４】
ステップ１００９：ユーザ機器は、ＲＲＣ接続再構成を完了した後で、アップリンク情報転送メッセージにＮＡＳ情報を追加し、Ｄ２Ｄ通信のみを行うことを示す指示情報を搬送する。
【０１０５】
この態様では、ＵＥ１は、ＲＲＣ接続再構成を完了した後で、ＵＬ  Ｉｎｆｏｒｍａｔｉｏｎ  Ｔｒａｎｓｆｅｒメッセージに１つの新しいＩＥを追加し、或いは元のＩＥを強化してもよい（例えばＤｅｄｉｃａｔｅｄＩｎｆｏＮＡＳ  ＩＥを強化してもよい）。ＵＥ１は、ＤｅｄｉｃａｔｅｄＩｎｆｏＮＡＳ  ＩＥに追加されたＮＡＳ情報を介して、伝送されるデータがＤ２Ｄ−ｏｎｌｙトラヒックであることをネットワーク側に知らせる。
【０１０６】
ステップ１０１０：ユーザ機器は、該アップリンク情報転送メッセージを介して該指示情報を送信する。
【０１０７】
この態様では、ＵＥ１は、基地局に、強化されたＵＬ  Ｉｎｆｏｒｍａｔｉｏｎ  Ｔｒａｎｓｆｅｒメッセージを送信してもよい。
【０１０８】
ステップ１０１１：基地局は、該アップリンク情報転送メッセージを受信した後で、該ＮＡＳ情報をＭＭＥにトランスペアレント伝送する。
【０１０９】
ステップ１０１２：ＭＭＥは、基地局によりトランスペアレント伝送された、該指示情報を搬送するＮＡＳ情報を受信した後で、該指示情報をフィードバックメッセージにカプセル化する。
【０１１０】
この態様では、基地局によりトランスペアレント伝送されたＮＡＳ情報に基づいて、ＭＭＥは、ＵＥ１により伝送されるデータがＤ２Ｄ−ｏｎｌｙトラヒックであることを知っている場合、ＭＭＥは、１つの新しいＩＥ（例えばＤ２Ｄ−ｏｎｌｙ  ｉｎｄｉｃａｔｏｒ  ＩＥ）を生成し、Ｓ１ＡＰメッセージ（例えばＥ−ＲＡＢ  ＳＥＴＵＰ  ＲＥＱＵＥＳＴ）にカプセル化してもよい。
【０１１１】
ステップ１０１３：ＭＭＥは、基地局が指示情報に基づいてユーザ機器のデータトラヒックがＤ２Ｄ−ｏｎｌｙトラヒックであることを知るように、基地局にフィードバックメッセージを送信する。
【０１１２】
これによって、ネットワーク側は、ＵＬ  Ｉｎｆｏｒｍａｔｉｏｎ  Ｔｒａｎｓｆｅｒｗｏ受信した後で、対応する構成を行うことができ、基地局はＵＥ１をスケジューリングしてデータ通信を行うことができる。
【０１１３】
もう１つの態様では、ＵＥはＲＲＣ接続を既に確立した。図１１は本発明の実施例に係る情報報告方法の他のフローチャートであり、ＵＥがＲＲＣ接続を既に確立し、且つ伝送トラヒックを開始する時から説明する。図１１に示すように、該方法は下記のステップを含む。
【０１１４】
ステップ１１０１：ユーザ機器は、新しいＤ２Ｄトラヒックを開始する。
【０１１５】
この態様では、通信を行っているＵＥ１は、ＲＲＣ接続を既に確立し、該ＵＥ１は新しいＤ２Ｄ−ｏｎｌｙトラヒックを再び開始し、基地局はそれに対してＲＲＣ接続再構成を行い、即ちＲＲＣＣｏｎｎｅｃｔｉｏｎＲｅｃｏｎｆｉｇｕｒａｔｉｏｎメッセージを送信する。
【０１１６】
ステップ１１０２：ユーザ機器は、ＲＲＣ接続再構成を完了した後で、アップリンク情報転送メッセージにＮＡＳ情報を追加し、Ｄ２Ｄ通信のみを行うことを示す指示情報を搬送する。
【０１１７】
この態様では、ＵＥ１は、ＲＲＣ接続再構成を完了した後で、ＵＬ  Ｉｎｆｏｒｍａｔｉｏｎ  Ｔｒａｎｓｆｅｒメッセージに１つの新しいＩＥを追加し、或いは元のＩＥを強化してもよい（例えばＤｅｄｉｃａｔｅｄＩｎｆｏＮＡＳ  ＩＥを強化してもよい）。ＵＥ１は、ＤｅｄｉｃａｔｅｄＩｎｆｏＮＡＳ  ＩＥに追加されたＮＡＳ情報を介して、伝送されるデータがＤ２Ｄ−ｏｎｌｙトラヒックであることをネットワーク側に知らせる。
【０１１８】
ステップ１１０３：ユーザ機器は、該アップリンク情報転送メッセージを介して該指示情報を送信する。
【０１１９】
この態様では、ＵＥ１は、基地局に、強化されたＵＬ  Ｉｎｆｏｒｍａｔｉｏｎ  Ｔｒａｎｓｆｅｒメッセージを送信してもよい。
【０１２０】
ステップ１１０４：基地局は、該アップリンク情報転送メッセージを受信した後で、該ＮＡＳ情報をＭＭＥにトランスペアレント伝送する。
【０１２１】
ステップ１１０５：ＭＭＥは、基地局によりトランスペアレント伝送された、該指示情報を搬送するＮＡＳ情報を受信した後で、指示情報をフィードバックメッセージにカプセル化する。
【０１２２】
この態様では、基地局によりトランスペアレント伝送されたＮＡＳ情報に基づいて、ＭＭＥは、ＵＥ１により伝送されるデータがＤ２Ｄ−ｏｎｌｙトラヒックであることを知っている場合、ＭＭＥは、１つの新しいＩＥ（例えばＤ２Ｄ−ｏｎｌｙ  ｉｎｄｉｃａｔｏｒ  ＩＥ）を生成し、Ｓ１ＡＰメッセージ（例えばＥ−ＲＡＢ  ＳＥＴＵＰ  ＲＥＱＵＥＳＴ）にカプセル化してもよい。
【０１２３】
ステップ１１０６：ＭＭＥは、基地局が指示情報に基づいてユーザ機器のデータトラヒックがＤ２Ｄ−ｏｎｌｙトラヒックであることを知るように、基地局にフィードバックメッセージを送信する。
【０１２４】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【０１２５】
＜実施例６＞
本発明の実施例はＤ２Ｄ通信の情報報告方法を提供し、基地局側で該情報報告方法を説明する。本実施例は実施例１乃至５のユーザ機器側に対応し、同様な内容について説明が省略される。
【０１２６】
図１２は本発明の実施例に係る情報報告方法のフローチャートであり、図１２に示すように、該方法は下記のステップを含む。
【０１２７】
ステップ１２０１：基地局は、ユーザ機器がＤ２Ｄ通信のみを行うことを示す指示情報を受信する。
【０１２８】
ステップ１２０２：基地局は、ユーザ機器のデータトラヒックがＤ２Ｄ通信のみトラヒックであるように、該指示情報に基づいて該ユーザ機器を構成する。
【０１２９】
本実施例では、基地局は指示情報に基づいて、該ユーザ機器の１つ又は複数のＤ２ＤデータトラヒックをＤ２Ｄ−ｏｎｌｙトラヒックに維持し続けることができる。本発明はこれに限定されず、実際の状況に応じて具体的な実施形態を決定してもよい。
【０１３０】
１つの態様では、該指示情報は、ＲＲＣ（Radio Resource Control）接続要求メッセージにより搬送され、該ＲＲＣ接続要求メッセージは、ＲＲＣ接続を確立するようにユーザ機器が前記基地局に要求する際に送信される。
【０１３１】
もう１つの態様では、該指示情報は、ＲＲＣ接続確立完了のＡＣＫメッセージにより搬送される。図１３は本発明の実施例に係る情報報告方法の他のフローチャートであり、図１３に示すように、該方法は下記のステップを含む。
【０１３２】
ステップ１３０１：基地局は、ユーザ機器により送信されたＲＲＣ接続確立完了のＡＣＫ（acknowledgement）メッセージを受信し、ＲＲＣ接続確立完了のＡＣＫメッセージには、指示情報を搬送するＮＡＳ（Non-Access Stratum）情報が含まれる。
【０１３３】
ステップ１３０２：基地局は、ＮＡＳ情報をＭＭＥ（Mobility Management Entity）にトランスペアレント伝送する。
【０１３４】
ステップ１３０３：基地局は、前記ＭＭＥにより送信された、指示情報を含むメッセージを受信する。
【０１３５】
ステップ１３０４：基地局は、該ユーザ機器のデータトラヒックがＤ２Ｄ通信のみトラヒックであるように、該指示情報に基づいて該ユーザ機器を構成する。
【０１３６】
もう１つの態様では、該指示情報は、ＲＲＣ接続再構成完了メッセージにより搬送され、該ＲＲＣ接続再構成完了メッセージは、ユーザ機器がＲＲＣ接続再構成を完了した後で、基地局に送信される。
【０１３７】
もう１つの態様では、該指示情報は、アップリンク情報転送メッセージにより搬送される。図１４は本発明の実施例に係る情報報告方法の他のフローチャートであり、図１４に示すように、該方法は下記のステップを含む。
【０１３８】
ステップ１４０１：基地局は、ユーザ機器により送信されたアップリンク情報転送メッセージを受信し、該アップリンク情報転送メッセージには、指示情報を搬送するＮＡＳ情報が含まれる。
【０１３９】
ステップ１４０２：基地局は、ＮＡＳ情報をＭＭＥにトランスペアレント伝送する。
【０１４０】
ステップ１４０３：基地局は、ＭＭＥにより送信された、指示情報を含むメッセージを受信する。
【０１４１】
ステップ１４０４：基地局は、該ユーザ機器のデータトラヒックがＤ２Ｄ通信のみトラヒックであるように、該指示情報に基づいて該ユーザ機器を構成する。
【０１４２】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【０１４３】
＜実施例７＞
本発明の実施例はＤ２Ｄ通信の情報報告方法を提供し、ＭＭＥ側で該情報報告方法を説明する。本実施例は実施例１乃至５のユーザ機器側、及び実施例６の基地局側に対応し、同様な内容について説明が省略される。
【０１４４】
図１５は本発明の実施例に係る情報報告方法のフローチャートであり、図１５に示すように、該方法は下記のステップを含む。
【０１４５】
ステップ１５０１：ＭＭＥ（Mobility Management Entity）は、基地局によりトランスペアレント伝送された、指示情報を搬送するＮＡＳ（Non-Access Stratum）情報を受信し、該指示情報は、ユーザ機器がＤ２Ｄ通信のみを行うことを示す。
【０１４６】
ステップ１５０２：ＭＭＥは、指示情報をフィードバックメッセージにカプセル化する。
【０１４７】
ステップ１５０３：ＭＭＥは、基地局が指示情報に基づいてユーザ機器のデータトラヒックがＤ２Ｄ通信のみトラヒックであることを知るように、基地局にフィードバックメッセージを送信する。
【０１４８】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【０１４９】
＜実施例８＞
本発明は、実施例１乃至５の方法に対応するユーザ機器を提供し、同様な内容について説明が省略される。
【０１５０】
図１６は本発明の実施例に係るユーザ機器の構成を示す図である。図１６に示すように、ユーザ機器１６００は第１の送信部１６０１を含む。ユーザ機器１６００の他の部分は従来技術を参照してもよい。
【０１５１】
第１の送信部１６０１は、基地局がユーザ機器のデータトラヒックがＤ２Ｄ（Device to Device）通信のみトラヒックであることを知るように、Ｄ２Ｄ通信のみを行うことを示す指示情報を送信する。
【０１５２】
図１７は本発明の実施例に係るユーザ機器の他の構成を示す図である。図１７に示すように、ユーザ機器１７００は第１の生成部１７０１及び第１の送信部１６０１を含む。
【０１５３】
ユーザ機器がＲＲＣ（Radio Resource Control）接続を確立するように基地局に要求する場合、第１の生成部１７０１は、ＲＲＣ接続要求メッセージに前記指示情報を追加する。第１の送信部１６０１は、ＲＲＣ接続要求メッセージを介して該指示情報を送信する。
【０１５４】
図１８は本発明の実施例に係るユーザ機器の他の構成を示す図である。図１８に示すように、ユーザ機器１８００は第２の生成部１８０１及び第１の送信部１６０１を含む。
【０１５５】
ユーザ機器が基地局により送信されたＲＲＣ接続確立メッセージを受信した後で、第２の生成部１８０１は、ＲＲＣ接続確立完了のＡＣＫ（acknowledgement）メッセージにおいてＮＡＳ（Non-Access
Stratum）情報を介して指示情報を搬送する。
【０１５６】
第１の送信部１６０１は、基地局がＡＣＫメッセージを受信した後でＮＡＳ情報をＭＭＥ（Mobility Management Entity）にトランスペアレント伝送し、ＭＭＥが指示情報を基地局に送信するように、ＡＣＫメッセージを介して指示情報を送信する。
【０１５７】
図１９は本発明の実施例に係るユーザ機器の他の構成を示す図である。図１９に示すように、ユーザ機器１９００は第３の生成部１９０１及び第１の送信部１６０１を含む。
【０１５８】
ユーザ機器がＲＲＣ接続再構成を完了した後で、第３の生成部１９０１は、ＲＲＣ接続再構成完了メッセージに指示情報を追加する。第１の送信部１６０１は、ＲＲＣ接続再構成完了メッセージを介して指示情報を送信する。
【０１５９】
図２０は本発明の実施例に係るユーザ機器の他の構成を示す図である。図２０に示すように、ユーザ機器２０００は、第４の生成部２００１及び第１の送信部１６０１を含む。
【０１６０】
ユーザ機器がＲＲＣ接続再構成を完了した後で、第４の生成部２００１は、アップリンク情報転送メッセージにおいてＮＡＳ情報を介して指示情報を搬送する。
【０１６１】
第１の送信部１６０１は、基地局がアップリンク情報転送メッセージを受信した後でＮＡＳ情報をＭＭＥにトランスペアレント伝送し、ＭＭＥが指示情報を基地局に送信するように、アップリンク情報転送メッセージを介して指示情報を送信する。
【０１６２】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【０１６３】
＜実施例９＞
本発明は、実施例６の方法に対応する基地局を提供し、同様な内容について説明が省略される。
【０１６４】
図２１は本発明の実施例に係る基地局の構成を示す図である。図２１に示すように、基地局２１００は第１の受信部２１０１及び構成部２１０２を含む。基地局２１００の他の部分について従来技術を参照してもよい。
【０１６５】
第１の受信部２１０１は、ユーザ機器がＤ２Ｄ通信のみを行うことを示す指示情報を受信する。構成部２１０２は、ユーザ機器のデータトラヒックがＤ２Ｄ通信のみトラヒックであるように、ユーザ機器を構成する。
【０１６６】
１つの態様では、指示情報は、ＲＲＣ（Radio Resource Control）接続要求メッセージにより搬送され、該ＲＲＣ接続要求メッセージは、ＲＲＣ接続を確立するようにユーザ機器が基地局に要求する際に送信される。
【０１６７】
もう１つの態様では、指示情報はＲＲＣ接続確立完了のＡＣＫメッセージにより搬送される。図２２は本発明の実施例に係る基地局の他の構成を示す図である。図２２に示すように、基地局２２００は、第１の受信部２１０１及び構成部２１０２を含む。
【０１６８】
図２２に示すように、基地局２２００は、第２の受信部２２０３及び第２の送信部２２０４をさらに含んでもよい。
【０１６９】
第２の受信部２２０３は、ユーザ機器により送信されたＲＲＣ接続確立完了のＡＣＫ（acknowledgement）メッセージを受信し、該ＲＲＣ接続確立完了のＡＣＫメッセージには、指示情報を搬送するＮＡＳ（Non-Access Stratum）情報が含まれる。第２の送信部２２０４は、ＮＡＳ情報をＭＭＥ（Mobility Management Entity）にトランスペアレント伝送する。第１の受信部２１０１は、ＭＭＥにより送信された、指示情報を含むメッセージを受信する。
【０１７０】
もう１つの態様では、指示情報は、ＲＲＣ接続再構成完了メッセージにより搬送され、該ＲＲＣ接続再構成完了メッセージは、ユーザ機器がＲＲＣ接続再構成を完了した後で、基地局に送信される。
【０１７１】
もう１つの態様では、指示情報は、アップリンク情報転送メッセージに内に搬送される。図２３は本発明の実施例に係る基地局の他の構成を示す図である。図２３に示すように、基地局２３００は、第１の受信部２１０１及び構成部２１０２を含む。
【０１７２】
図２３に示すように、基地局２３００は、第３の受信部２３０３及び第３の送信部２３０４をさらに含んでもよい。
【０１７３】
第３の受信部２３０３は、ユーザ機器により送信されたアップリンク情報転送メッセージを受信し、該アップリンク情報転送メッセージには、指示情報を搬送するＮＡＳ情報が含まれる。第３の送信部２３０４は、ＮＡＳ情報をＭＭＥにトランスペアレント伝送する。第１の受信部２１０１は、ＭＭＥにより送信された、指示情報を含むメッセージを受信する。
【０１７４】
上記の実施例によれば、基地局がユーザ機器のＤ２Ｄ−ｏｎｌｙ情報を知るように、ユーザ機器がＤ２Ｄ−ｏｎｌｙを示す指示情報を報告することで、ネットワーク側は、ユーザ機器を好適に構成でき、不要なハンドオーバ又はモード選択を回避できる。
【０１７５】
＜実施例１０＞
本発明は、実施例７の方法に対応するＭＭＥを提供し、同様な内容について説明が省略される。
【０１７６】
図２４は本発明の実施例に係るモビリィティ管理エンティティ（ＭＭＥ、Mobility Management Entity）の構成を示す図である。図２４に示すように、ＭＭＥ２４００は、第４の受信部２４０１、カプセル化部２４０２及び第４の送信部２４０３を含む。
【０１７７】
第４の受信部２４０１は、基地局によりトランスペアレント伝送された、指示情報を搬送するＮＡＳ（Non-Access Stratum）情報を受信し、該指示情報は、ユーザ機器がＤ２Ｄ（Device
to Device）通信のみを行うことを示す。カプセル化部２４０２は、指示情報をフィードバックメッセージにカプセル化する。第４の送信部２４０３は、基地局が指示情報に基づいてユーザ機器のデータトラヒックがＤ２Ｄ通信のみトラヒックであることを知るように、基地局にフィードバックメッセージを送信する。
【０１７８】
本発明の実施例は、実施例８に記載のユーザ機器及び実施例９に記載の基地局を含み、或いは実施例８に記載のユーザ機器、実施例９に記載の基地局及び実施例１０に記載のモビリィティ管理エンティティを含む、通信システムをさらに提供する。
【０１７９】
本発明の実施例は、ユーザ機器においてプログラムを実行する際に、コンピュータに、上記実施例１乃至５のいずれかに記載のＤ２Ｄ通信の情報報告方法を前記ユーザ機器において実行させる、コンピュータ読み取り可能なプログラムをさらに提供する。
【０１８０】
本発明の実施例は、コンピュータに、上記実施例１乃至５のいずれかに記載のＤ２Ｄ通信の情報報告方法をユーザ機器において実行させるためのコンピュータ読み取り可能なプログラムを記憶する、記憶媒体をさらに提供する。
【０１８１】
本発明の実施例は、基地局においてプログラムを実行する際に、コンピュータに、上記実施例６に記載のＤ２Ｄ通信の情報報告方法を前記基地局において実行させる、コンピュータ読み取り可能なプログラムをさらに提供する。
【０１８２】
本発明の実施例は、コンピュータに、上記実施例６に記載のＤ２Ｄ通信の情報報告方法を基地局において実行させるためのコンピュータ読み取り可能なプログラムを記憶する、記憶媒体をさらに提供する。
【０１８３】
本発明の実施例は、モビリィティ管理エンティティにおいてプログラムを実行する際に、コンピュータに、上記実施例７に記載のＤ２Ｄ通信の情報報告方法を前記モビリィティ管理エンティティにおいて実行させる、コンピュータ読み取り可能なプログラムをさらに提供する。
【０１８４】
本発明の実施例は、コンピュータに、上記実施例７に記載のＤ２Ｄ通信の情報報告方法をモビリィティ管理エンティティにおいて実行させるためのコンピュータ読み取り可能なプログラムを記憶する、記憶媒体をさらに提供する。
【０１８５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１８６】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【０１８７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016504884.tif 000003
【図２】
2016504884.tif 000004
【図３】
2016504884.tif 000005
【図４】
2016504884.tif 000006
【図５】
2016504884.tif 000007
【図６】
2016504884.tif 000008
【図７】
2016504884.tif 000009
【図８】
2016504884.tif 000010
【図９】
2016504884.tif 000011
【図１０】
2016504884.tif 000012
【図１１】
2016504884.tif 000013
【図１２】
2016504884.tif 000014
【図１３】
2016504884.tif 000015
【図１４】
2016504884.tif 000016
【図１５】
2016504884.tif 000017
【図１６】
2016504884.tif 000018
【図１７】
2016504884.tif 000019
【図１８】
2016504884.tif 000020
【図１９】
2016504884.tif 000021
【図２０】
2016504884.tif 000022
【図２１】
2016504884.tif 000023
【図２２】
2016504884.tif 000024
【図２３】
2016504884.tif 000025
【図２４】
2016504884.tif 000026
【国際調査報告】
2016504884.tif 000027
2016504884.tif 000028
2016504884.tif 000029
2016504884.tif 000030